(57)【要約】【課題】小型化に適しかつ隣接共振器間距離の変化に対する結合係数のずれを小さくして特性ばらつきの小さなフィルタを提供する。【解決手段】マイクロストリップ線路によりそれぞれ形成され、Ｘ方向に隣接する二つの共振器１０５及び１０６を含むフィルタにおいて、各共振器は第１領域２０１にＸ方向と直交するＹ方向に沿って形成された一対の第１線路１１１及び１１２と、Ｙ方向において第１領域２０１と隣接する第２領域２０２に配置され、第１線路１１１及び１１２の各々の他端間に接続された、線路１１１及び１１２の幅より小さい幅の第２線路を有し、共振器１０５及び１０６の隣り合う線路１１２及び１１１間の最短距離ｄ１は、隣り合う線路１１３間の最短距離ｄ２より小さく設定される。【選択図】図１
2007195116.tif 000002
【特許請求の範囲】
【請求項１】
マイクロストリップ線路によりそれぞれ形成され、第１方向に隣接する第１共振器及び第２共振器を含むフィルタにおいて、
前記第１共振器及び第２共振器は、
第１領域に前記第１方向と直交する第２方向に沿って形成され、開放端及び他端をそれぞれ有する第１の幅の一対の第１線路と、前記第２方向において前記第１領域と隣接する第２領域に配置され、前記一対の第１線路の各々の他端間に接続された、前記第１の幅より小さい第２の幅の第２線路とを備え、
前記第１共振器及び第２共振器の隣り合う前記第１線路間の最短距離は、前記第１共振器及び第２共振器の隣り合う前記第２線路間の最短距離より小さく設定されていることを特徴とするフィルタ。
【請求項２】
マイクロストリップ線路によりそれぞれ形成され、第１方向に隣接する第１共振器及び第２共振器を含むフィルタにおいて、
前記第１共振器及び第２共振器は、
第１領域に前記第１方向と直交する第２方向に沿って形成され、開放端及び他端をそれぞれ有する第１の幅の一対の第１線路と、前記第２方向において前記第１領域と隣接する第２領域に配置され、前記一対の第１線路の各々の他端間に接続された、前記第１の幅より小さい第２の幅の第２線路とを備え、
前記第２線路の前記第１方向における長さは、前記第１線路の前記第１方向における長さより小さく設定されていることを特徴とするフィルタ。
【請求項３】
前記第２領域の前記第２方向における長さは、前記第１領域の前記第２方向における長さの９０％以下である請求項２記載のフィルタ。
【請求項４】
前記第２線路の長さは、前記第１共振器と第２共振器とで異なる請求項１または２に記載のフィルタ。
【請求項５】
前記一対の第１線路及び前記第２線路の合計の電気長はほぼ半波長である請求項１又は２に記載のフィルタ。
【請求項６】
入力信号を受ける入力線路及び出力信号を取り出す出力線路をさらに具備し、前記入力線路と出力線路との間に前記第１共振器及び第２共振器を含む複数の共振器が縦続配置される請求項１または２に記載のフィルタ。
【請求項７】
入力信号を受ける入力線路及び出力信号を取り出す出力線路をさらに具備し、前記入力線路に一つの前記第１共振器が接続され、前記出力線路に一つの前記第２共振器が接続されるように、前記入力線路と出力線路との間に複数の前記第１共振器及び第２共振器を含む複数の共振器が縦続配置され、
前記入力線路に接続される一つの第１共振器及び前記出力線路に接続される一つの第２共振器における前記第２線路の長さは、他の第１共振器及び第２共振器における前記第２線路の長さより短く設定される請求項１または２に記載のフィルタ。
【請求項８】
無線周波数信号を増幅する電力増幅器と；
前記電力増幅器からの出力信号を受けて帯域制限を行う請求項１または２のいずれか１項記載のフィルタと；
前記フィルタの出力信号を受けて送信を行うアンテナと；を具備する無線通信装置。
【請求項９】
無線周波数信号を受信するアンテナと；
前記アンテナからの出力信号を受けて帯域制限を行う請求項１または２のいずれか１項記載のフィルタと；
前記フィルタの出力信号を受けて信号を増幅する低雑音増幅器と；を具備する無線通信装置。
【発明の詳細な説明】
【技術分野】
【０００１】
本発明は、フィルタ及びこれを用いた無線通信装置に関する。
【背景技術】
【０００２】
一般に、無線通信装置における帯域制限用のフィルタは、縦続配置された複数の共振器によって構成される。各々の共振器はインダクタとキャパシタを含み、損失の効果を考慮する場合には抵抗も追加される。このタイプのフィルタでは、隣接共振器間の結合量を表す共振器間結合係数と、入力部及び出力部において共振器を励振する量を表す外部Ｑの値を適当に決めることによって、通過域周波数範囲や阻止域の減衰量を決定することができる。
【０００３】
このようなフィルタとして、マイクロストリップライン型共振器を用いたフィルタが知られている。無線通信装置におけるフィルタは小型化が要求されており、マイクロストリップライン型共振器を用いたフィルタにおいても、小型化のための種々の提案がなされている。
【０００４】
例えば、米国特許第６，６３３，２０８ Ｂ２号明細書（特許文献１）の図１１には、開放端を有する幅の広い線路対の他端間に、幅の狭い蛇行線路を接続した構造をそれぞれ持つ複数の半波長共振器を隣接させたフィルタが開示されている。幅の狭い蛇行線路は、幅の広い線路対の間に挟まれるように配置される。
【０００５】
一方、米国特許第５，０５５，８０９号明細書（特許文献２）には、図７乃至図１５には、開放端を有する幅の広い線路対の他端間に、幅の狭い線路を接続した構造をそれぞれ持つ複数の半波長共振器を隣接させたフィルタが開示されている。幅の狭い線路は、幅の広い線路対の開放端と反対側の領域に配置される。さらに、幅の広い線路対が形成された領域の幅と、幅の狭い線路が形成された領域の幅は等しい。
【特許文献１】米国特許第６，６３３，２０８ Ｂ２号明細書
【特許文献２】米国特許第５，０５５，８０９号明細書
【発明の開示】
【発明が解決しようとする課題】
【０００６】
フィルタの小型化のためには、隣接共振器間の結合が容量性であることが望ましい。しかし、引用文献１のフィルタは幅の広い線路対と幅の狭い線路が共振器の配列方向に隣接しているため、共振器の配列方向におけるフィルタの全長が大きくなり、小型化に限界がある。
【０００７】
特許文献２のフィルタでは、小型化のために隣接共振器を近接させると、隣接共振器間で幅の広い線路対によって生じる容量性の結合と、幅の狭い線路によって生じる誘導性の結合が同程度の値となる。この結果、容量性の結合と誘導性の結合が互いに打ち消すように働くことで、寸法精度による結合係数のずれが大きくなってしまう。結合係数の値がずれるとフィルタ特性は劣化するため、製作時の特性ばらつきが大きくなる。
【０００８】
本発明は、小型化に適しかつ隣接共振器間の距離変化に対する結合係数のずれを小さくして特性ばらつきの小さなフィルタ及びこれを用いた無線通信装置を提供することを目的とする。
【課題を解決するための手段】
【０００９】
本発明の第１の態様によると、マイクロストリップ線路によりそれぞれ形成され、第１方向に隣接する第１共振器及び第２共振器を含み、前記第１共振器及び第２共振器は、第１領域に前記第１方向と直交する第２方向に沿って形成され、開放端及び他端をそれぞれ有する第１の幅の一対の第１線路と、前記第２方向において前記第１領域と隣接する第２領域に配置され、前記一対の第１線路の各々の他端間に接続された、前記第１の幅より小さい第２の幅の第２線路とを備え、前記第１共振器及び第２共振器の隣り合う前記第１線路間の最短距離は、前記第１共振器及び第２共振器の隣り合う前記第２線路間の最短距離より小さく設定されているフィルタを提供する。
【００１０】
本発明の第２の態様によると、マイクロストリップ線路によりそれぞれ形成され、第１方向に隣接する第１共振器及び第２共振器を含み、前記第１共振器及び第２共振器は、第１領域に前記第１方向と直交する第２方向に沿って形成され、開放端及び他端をそれぞれ有する第１の幅の一対の第１線路と、前記第２方向において前記第１領域と隣接する第２領域に配置され、前記一対の第１線路の各々の他端間に接続された、前記第１の幅より小さい第２の幅の第２線路とを備え、前記第２線路の前記第１方向における長さは、前記第１線路の前記第１方向における長さより小さく設定されているフィルタを提供する。
【００１１】
本発明の第３の態様によると、無線周波数信号を増幅する電力増幅器と；前記電力増幅器からの出力信号を受けて帯域制限を行う第１または第２の態様によるフィルタと；前記フィルタの出力信号を受けて送信を行うアンテナと；を具備する無線通信装置を提供する。
【００１２】
本発明の第４の態様によると、無線周波数信号を受信するアンテナと；前記アンテナからの出力信号を受けて帯域制限を行う第１または第２の態様によるフィルタと；前記フィルタの出力信号を受けて信号を増幅する低雑音増幅器と；を具備する無線通信装置を提供する。
【発明の効果】
【００１３】
本発明によると、フィルタの小型化が容易で、かつ隣接共振器間の寸法精度よる結合係数の変化が小さく、フィルタの調整時間の短縮や歩留まりの向上が可能となる。
【発明を実施するための最良の形態】
【００１４】
以下、図面を参照して本発明の実施の形態を説明する。  
図１（Ａ）及び（Ｂ）は、本発明の一実施形態に係るフィルタの平面図及びＡ−Ａ′線に沿う断面図を示している。誘電体基板１０１の裏面上にグランドプレーン１０２が形成され、誘電体基板１０１の表面上に入力信号を受けるための入力線路１０３、出力信号を取り出すための出力線路１０４、及び隣接した２つの半波長共振器１０５及び１０６が形成されている。入力線路１０３と出力線路１０４の各々の一端は、基板１０１の端部まで延出され、基板１０１の端部においてフィルタの外部にある回路と接続される。
【００１５】
誘電体基板１０１の材料には、例えば厚さ０．１ｍｍから１ｍｍ程度の酸化マグネシウムやサファイア等が用いられる。グランドプレーン１０１、入力線路１０３、出力線路１０４、共振器１０５及び１０６は、例えば銅、銀、金のような金属、ニオブまたはニオブ錫といったような超伝導体、あるいはＹＢa2Ｃｕ3Ｏ7-xのような酸化物超伝導体といった導体材料により作られる。
【００１６】
このように誘電体基板１０１の裏面上にグランドプレーン１０２を形成し、基板１０１の表面上に導体パターンを形成した構造は、マイクロストリップ線路構造と呼ばれる。以下の説明では、基板１０１の表面上に形成した導体パターンそのものをマイクロストリップ線路と呼ぶことにする。
【００１７】
共振器１０５及び１０６は、図の横方向（矢印Ｘの方向）に隣接して配置され、同じ形状を有する。図１（Ａ）の一部を拡大した図２を参照して共振器１０５についてのみ説明すると、共振器１０５は第１領域２０１に図の垂直方向（Ｘ方向と直交する矢印のＹ方向）に沿って形成された一対の第１線路１１１及び１１２と、第２領域２０２に形成された第２線路１１３を有する。第１領域２０１と第２領域２０２は、Ｙ方向において隣接している。線路１１１及び１１２は線路１１３と反対側に開放端を有し、線路１１１の他端と線路１１２の他端との間に線路１１３が接続される。入力線路１０３は共振器１０５の線路１１１と結合され、出力線路１０４は共振器１０６の線路１１２と結合される。
【００１８】
線路１１１及び１１２の幅Ｗａと線路１１３の幅Ｗｂとの関係は、Ｗａ＞Ｗｂである。共振器１０５及び１０６の各々の第１領域２０１間の最短距離（すなわち、共振器１０５の線路１１２と、これと隣り合う、共振器１０６の線路１１１との間の最短距離）ｄ１と第２領域２０２間の最短距離（すなわち、共振器１０５及び１０６の隣り合う線路１１３間の最短距離）ｄ２との関係は、ｄ１＜ｄ２である。図１（Ａ）及び（Ｂ）の例では、Ｘ方向における第１領域２０１の長さＷ１（線路１１１及び１１２の幅の合計２Ｗａと線路１１１及び１１２間の距離との和）と第２の領域２０２の長さＷ２との関係は、Ｗ１＞Ｗ２である。さらに、線路１１１，１１２及び１１３の合計の電気長は、ほぼ半波長（λ／２）であり、すなわち共振器１０５及び１０６は半波長共振器である。
【００１９】
次に、図１（Ａ）及び（Ｂ）に示したフィルタの動作及び利点について説明する。図３は、図１（Ａ）及び（Ｂ）に示したフィルタの等価回路を示している。図３において、入力端子１１は入力線路１０３に接続され、グランド端子１２はグランドプレーン１０２に接続される。入力端子１１とグランド端子１２間に与えられる入力信号は、共振器１０５及び１０６を順次通過した後、出力端子１３とグランド端子１４間から取り出される。出力端子１３は出力線路１０４に接続され、グランド端子１４はグランドプレーン１０２に接続される。
【００２０】
共振器１０５及び１０６は、図３に示されるように等価的にインダクタとキャパシタで表される。損失の効果を考慮する場合には、抵抗も付加される。抵抗がない場合の共振器１０５及び１０６の各々の共振周波数は、次式で表される。  
ｆ0＝１／ｓｑｒｔ（Ｌ×Ｃ）          （１）  
ここで、ｆ0は共振周波数、ｓｑｒｔは平方根、Ｌはインダクタンス、Ｃはキャパシタンスをそれぞれ表す。
【００２１】
入力端子１１から初段（第１段目）の共振器１０５側を見た外部Ｑ結合係数ｍ１、出力端子１３から最終段（第４段目）の共振器１０６側を見た外部Ｑ結合係数ｍ３、及び共振器１０５及び１０６間の結合量を表す共振器間結合係数ｍ２を適当に決めることによって、フィルタの通過域周波数範囲や阻止域の減衰量を決定することができる。
【００２２】
図４の半波長共振器２０の等価回路に示されるように、半波長共振器２０の２つの開放端間にＣ０で示す容量性の結合を持たせることによって、共振器２０の物理的な全長を短くすることができる。さらに、半波長共振器２０の開放端にインピーダンスの低い幅広の線路を使うことで、開放端とグランドとの間の容量Ｃ１及びＣ２が大きくなり、これも共振器２０の物理的な全長を短くする上で有効である。
【００２３】
ところで、図５に示すように半波長共振器２０では２つの開放端が電圧最大点となり、共振器２０の中間位置が電流最大点となる。この観点から図１（Ａ）及び（Ｂ）に示したフィルタの共振器１０５及び１０６について考察すると、次の通りである。図６は、共振器１０５と共振器１０６間の結合の様子を示している。
【００２４】
共振器１０５及び１０６の各々の第１領域２０１間の最短距離、すなわち共振器１０５の線路１１１の開放端と共振器１０６の線路１１２の開放端間の距離はｄ１であり、半波長共振器の開放端である電圧最大点近傍どうしが距離ｄ１で近接している。これにより、図５に示されるように共振器１０５及び１０６の間に容量性の結合が実現される。
【００２５】
一方、共振器１０５及び１０６の各々の第２領域２０２間の最短距離、すなわち共振器１０５の線路１１３と共振器１０６の線路１１３との距離はｄ２であり、半波長共振器の中間位置である電流最大点近傍どうしが近接している。これによって、図６に示されるように共振器１０５と共振器１０６との間に誘導性の結合が実現される。
【００２６】
前述したように、一般的に近接した２つの共振器を小型化してゆくと、容量性及び誘導性の結合が生じ、両方が打ち消し合うことで結合量（結合係数）の変化が大きくなってしまう。図７及び図８は、それぞれ容量性結合のみを持つ場合、及び容量性結合と誘導性結合の両方が存在する場合における隣接共振器間距離に対する共振器間の結合係数の計算結果を示している。
【００２７】
図７に示されるように、容量性結合は隣接共振器間距離に対して急激に小さくなる。これに対して、誘導性結合は隣接共振器間距離に対して小さくなる割合が小さい。図８に示されるように容量性結合と誘導性結合の係合係数の値が等しくなる点で、トータルの結合係数は零となる。このような結合係数の零点の存在により、隣接共振器間距離の変化に対する結合係数の変化量の傾きが大きくなる。
【００２８】
誘導性の結合は、隣接共振器とそれ以外の他の共振器との間でも生じやすいため、隣接共振間に所望の結合係数を持たせるためには、フィルタでは容量性結合のみを用いることが有効となる。図１（Ａ）及び（Ｂ）に示したフィルタでは、隣接共振器１０５及び１０６間の容量性結合を得るための第１領域２０１間の最短距離ｄ１が誘導性結合を作るための第２領域２０２間の最短距離ｄ２よりも小さく設定されている。これにより、共振器１０５及び１０６間の結合係数の零点の位置を隣接共振器間距離の大きい方向にずらすことができる。このように結合係数の零点の位置をずらすことで、共振器１０５及び１０６間の距離に対する結合係数の変化の傾きを緩くすることが可能となり、フィルタ製作時の隣接共振器間の結合係数のばらつきを小さくすることができる。この結果、フィルタの調整時間の短縮及び歩留まりの向上が期待できる。
【００２９】
また、実際にＸ方向における第２領域２０２の長さＷ２を第１領域の長さＷ１の９０％以下の範囲にすることで、一般的なフィルタを構成するために必要となる結合係数の範囲においてほぼ容量性結合のみの場合と同じ結合を実現することができる。
【００３０】
さらに、図１（Ａ）及び（Ｂ）のフィルタでは、共振器１０５及び１０６の各々において幅の広い線路対１１１及び１１２が配置された第１領域２０１にＹ方向に隣接する第２領域２０２に幅の狭い線路１１３が配置されている。従って、幅の広い線路対の間に幅の狭い線路が配置された特許文献１のフィルタに比較して、Ｘ方向における占有長が小さくなり、フィルタが小型化される。
【００３１】
図９は、図１（Ａ）及び（Ｂ）のフィルタに含まれる共振器を変形した例であり、図３と対比して明らかなように、線路１１１の幅Ｗａと線路１１２の幅Ｗａ′を異ならせている。図９の例では、Ｗａ＜Ｗａ′としている。但し、幅Ｗａ及びＷａ′と線路１１３の幅Ｗｂとの関係は、Ｗａ＞Ｗｂ，Ｗａ′＞Ｗｂである。
【００３２】
次に、図１０〜図１５を用いて本発明の他の実施形態に係るフィルタについて説明する。  
図１０に示すフィルタは、Ｘ方向における第１領域２０１の長さＷ１（線路１１１及び１１２の幅の合計２Ｗａと線路１１２，１１２間の距離との和）と第２の領域２０２の長さＷ２とはほぼＷ１＝Ｗ２となっている。線路１１３の形状は、Ｘ方向において非対称であると共に、共振器１０５と共振器１０６間では対称となっている。
【００３３】
線路１１１及び１１２の幅Ｗａと線路１１３の幅Ｗｂとの関係（Ｗａ＞Ｗｂ）、共振器１０５及び１０６の各々の第１領域２０１間の最短距離ｄ１と第２領域２０２間の最短距離ｄ２との関係（ｄ１＜ｄ２）、及び、線路１１１，１１２及び１１３の合計の電気長がほぼ半波長である点は、先の実施形態と同様である。従って、図１０のフィルタによっても図１（Ａ）及び（Ｂ）に示したフィルタと同様の利点が得られる。
【００３４】
図１１は、入力線路１０３と出力線路１０４との間に縦続配置された４個の共振器を有するフィルタを示している。第２段目の共振器１０５及び第２段目の共振器１０６は、図１（Ａ）及び（Ｂ）と同様である。第１段目の共振器１０７及び第４段目の共振器１０８の各々の形状は、共振器１０５及び１０６と同様である。入力線路１０３は共振器１０７の線路１１１及び線路１１３と結合され、出力線路１０４は共振器１０８の線路１１２及び線路１１３と結合される。
【００３５】
一方、共振器１０７と共振器１０５との結合は、共振器１０７の線路１１２と共振器１０５の線路１１１との結合のみによって実現される。同様に、共振器１０８と共振器１０６との結合は、共振器１０８の線路１１１と共振器１０６の線路１１２との結合によってのみ実現される。
【００３６】
図１２は、図１１と同じく入力線路１０３と出力線路１０４との間に縦続配置された４個の共振器を有するフィルタを示している。但し、図１２の例では第１段目の共振器１０７及び第４段目の共振器１０８の第２線路１１４は、第２段目の共振器１０５及び第３段目の共振器１０６の第２線路１１３と異なり、左右非対称の形状を有し、物理的な長さは線路１１３より短く設定されている。
【００３７】
入力線路１０３と第１段目の共振器１０７との結合及び出力線路１０４と第２段目の共振器１０８との結合は、外部Ｑ結合と呼ばれる。広帯域のフィルタを実現する場合には小さな外部Ｑが必要であり、外部Ｑ結合をとるための共振器１０７及び１０８はそれぞれ入力線路１０３及び出力線路１０４と強く結合する必要がある。強い結合を実現しようとすると、共振器の共振周波数は大幅に低下する。このため、図１２の例では外部Ｑ結合をとるための共振器１０７及び１０８における第２線路１１４の物理的な長さを短くすることで、共振周波数を上げている。この場合、線路１１１及び１１２の物理的な長さを一定にすることで、事前評価するパラメータを削減できる。同様の考えを拡張して、共振器を構成する線路の長さや幅を共振器毎に異ならせてもよい。図１３は、図１２のフィルタを変形した例であり、共振器１０５及び１０６の位置と共振器１０７及び１０８の位置を共振器の配列方向と直交する方向に少しずらせている。
【００３８】
一般的に、図１２及び図１３に示すように３つ以上の共振器を用いてフィルタを形成する場合、隣接共振器間の結合の大きさを異ならせるために、結合の大きさに合わせて共振器の形状を変更することが必要となる。共振器が２つの場合には、前述のとおり共振器の形状は同じでよい。
【００３９】
図１４及び図１５は、共振器のさらなる変形例を示している。図１４の共振器は、第２線路１１３が１回だけ折り返された単純な形状とされている。図１５の共振器は、第２線路１１３が縦方向に数回折り返した場合の例である。このように第２線路１１３の形状については、図１（Ａ）及び（Ｂ）で説明したように共振器１０５及び１０６の各々の第１領域間２０１の最短距離が各々の第２領域２０２間の最短距離より小さい範囲、あるいはさらにＸ方向において線路１１３が配置される第２領域２０２の長さが第１線路１１１及び１１２が配置される第１領域２０１の長さより小さい範囲で種々変形することが可能である。
【００４０】
次に、フィルタを無線通信装置に応用した例を図１６および図１７により説明する。図１６は、無線通信装置の送信部を概略的に示している。送信すべきデータ５００は信号処理回路５０１に入力され、ディジタル−アナログ変換、符号化及び変調などの処理が施されることにより、ベースバンドあるいは中間周波数 (Intermediate Frequency；ＩＦ)帯の送信信号が生成される。信号処理回路５０１からの送信信号は周波数変換器（ミキサ）５０２に入力され、ローカル信号発生器５０３からのローカル信号と乗算されることによって、無線周波数 (Radio Frequency；ＲＦ)帯の信号に周波数変換、すなわちアップコンバートされる。
【００４１】
ミキサ５０２から出力されるＲＦ信号は電力増幅器５０４によって増幅された後、帯域制限フィルタ（送信フィルタ）５０５に入力され、このフィルタ５０５で帯域制限を受けて不要な周波数成分が除去された後、アンテナ５０６に供給される。ここで、帯域制限フィルタ５０５にこれまでの実施形態で説明したフィルタを用いることができる。
【００４２】
図１７は、無線通信装置の受信部を概略的に示している。アンテナで受信した信号は帯域制限フィルタ（受信フィルタ）５０８に入力され、このフィルタ５０８で帯域制限を受けて不要な周波数成分が除去された後、低雑音増幅器５０７に入力される。低雑音増幅器５０７で増幅された後、ミキサ５０２に入力され、ローカル信号と乗算されることによって、ベースバンドあるいは中間周波数に変換される。低い周波数となった信号は信号処理回路５０１に入力され、復調処理が施されることにより、受信データ５０９を出力する。ここで、帯域制限フィルタ５０８にこれまでの実施形態で説明したフィルタを用いることができる。
【００４３】
なお、本発明は上記実施形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４４】
【図１】本発明の一実施形態に係るフィルタの平面図及びＡ−Ａ′線に沿う断面図
【図２】図１（Ａ）及び（Ｂ）に示したフィルタの等価回路を示す図
【図３】図１（Ａ）及び（Ｂ）に示したフィルタに含まれる共振器を拡大して示す平面図
【図４】マイクロストリップライン型半波長共振器の小型化のための等価回路を示す図
【図５】マイクロストリップライン型半波長共振器における電流分布及び電圧分布を示す図
【図６】図１（Ａ）及び（Ｂ）に示したフィルタにおける隣接共振器間の容量性結合及び誘導性結合について説明する図
【図７】隣接共振器が容量性結合のみを持つ場合の隣接共振器間距離に対する結合係数の計算結果を示す図
【図８】隣接共振器が容量性結合と誘導性結合を持つ場合の隣接共振器間距離に対する結合係数の計算結果を示す図
【図９】図３の共振器の変形例の平面図
【図１０】本発明の他の実施形態に係るフィルタの平面図
【図１１】本発明の他の実施形態に係るフィルタの平面図
【図１２】本発明の他の実施形態に係るフィルタの平面図
【図１３】本発明の他の実施形態に係るフィルタの平面図
【図１４】本発明の実施形態に係るフィルタに含まれる共振器の他の例を示す平面図
【図１５】本発明の実施形態に係るフィルタに含まれる共振器の他の例を示す平面図
【図１６】本発明の実施形態に係るフィルタを用いた無線通信装置の送信部の一例を示すブロック図
【図１７】本発明の実施形態に係るフィルタを用いた無線通信装置の受信部の一例を示すブロック図
【符号の説明】
【００４５】
１０１・・・誘電体基板；
１０２・・・グランドプレーン；
１０３・・・入力線路；
１０４・・・出力線路；
１０５−１０８・・・共振器；
１１１，１１２・・・第１線路；
１１３，１１４・・・第２線路：
２０１・・・第１領域；
２０２・・・第２領域；
５０１・・・信号処理回路；
５０２・・・周波数変換器；
５０３・・・ローカル信号発生器；
５０４・・・電力増幅器；
５０５・・・帯域制限フィルタ；
５０６・・・アンテナ
５０７・・・低雑音増幅器；
５０８・・・帯域制限フィルタ；
【図１】
2007195116.tif 000003
【図２】
2007195116.tif 000004
【図３】
2007195116.tif 000005
【図４】
2007195116.tif 000006
【図５】
2007195116.tif 000007
【図６】
2007195116.tif 000008
【図７】
2007195116.tif 000009
【図８】
2007195116.tif 000010
【図９】
2007195116.tif 000011
【図１０】
2007195116.tif 000012
【図１１】
2007195116.tif 000013
【図１２】
2007195116.tif 000014
【図１３】
2007195116.tif 000015
【図１４】
2007195116.tif 000016
【図１５】
2007195116.tif 000017
【図１６】
2007195116.tif 000018
【図１７】
2007195116.tif 000019